(57)【要約】      （修正有）【課題】簡易な構造でブレード位置に応じてダイナミックバランスを調整可能なボーリングヘッドのダイナミックバランス調整構造を提供する。【解決手段】ダイナミックバランス調整構造は、本体１０、ブレード２０及びバランスユニット３０を含み、ブレードとバランスユニットが本体に結合されている。本体にはバランススリーブ孔１１と調整部材孔１２が設けられ、バランスユニットには、バランススリーブ孔に挿設されるバランススリーブ３１と、調整部材孔に挿設される調整部材３２が設けられ、バランススリーブと調整部材には互いに対応して係合する第１係合部３１２と第２係合部３２３が設けられている。調整部材を回動させることでバランススリーブをバランススリーブ孔内でスライド移動させれば、ボーリングヘッドの重心が変化し、ダイナミックバランスが補正される。【選択図】図３
0003201216.tif 000002
【実用新案登録請求の範囲】
【請求項１】
バランススリーブ孔と調整部材孔が設けられた本体であって、当該バランススリーブ孔が当該本体を貫通し、当該調整部材孔が当該本体の周面から当該バランススリーブ孔を貫通して当該本体の内部まで延伸している本体と、
当該本体に結合されて、当該バランススリーブ孔の貫設方向に調整移動が可能なブレードと、
当該本体に結合されて、バランススリーブ及び調整部材を含むバランスユニットであって、当該バランススリーブが当該バランススリーブ孔に挿設されるとともに第１係合部を備え、当該調整部材が当該調整部材孔に挿設されるとともに第２係合部を備え、当該第１係合部と当該第２係合部が互いに係合するバランスユニットと、を含むことを特徴とする、
ボーリングヘッドのダイナミックバランス調整構造。
【請求項２】
前記バランススリーブの第１係合部には複数の凹凸状の鋸歯が設けられ、前記調整部材の第２係合部は、当該第１係合部に対応して周面に複数の凹凸状の鋸歯が設けられていることを特徴とする請求項１記載のボーリングヘッドのダイナミックバランス調整構造。
【請求項３】
前記バランススリーブは前記バランススリーブ孔に対応して設けられるとともに略半円柱状であり、当該バランススリーブは２つの端部を備え、うち一端が短円柱状の規制部を形成していることを特徴とする請求項２記載のボーリングヘッドのダイナミックバランス調整構造。
【請求項４】
前記本体には位置決め部材ねじ孔が設けられ、当該位置決め部材ねじ孔は、当該本体の周面から当該調整部材孔まで延伸するとともに、内周面にねじ山が設けられており、当該位置決め部材ねじ孔の延伸方向は前記バランススリーブ孔の貫設方向と同じであり、前記バランスユニットは位置決め部材を含み、当該位置決め部材は２つの端部を備えるとともに、周面に位置決め部材ねじ孔に対応するねじ山を有し、当該位置決め部材の一方の端面に位置決めスタッドが軸設されており、前記調整部材には、当該位置決めスタッドに対応して環状の位置決め溝が凹設されており、当該位置決め部材は当該位置決め部材ねじ孔に螺合され、当該位置決めスタッドは当該位置決め溝に係合されることを特徴とする請求項３記載のボーリングヘッドのダイナミックバランス調整構造。
【請求項５】
前記本体には当接部材ねじ孔が設けられ、当該当接部材ねじ孔は、当該本体の周面から前記バランススリーブ孔まで延伸するとともに、内周面にねじ山が設けられており、当該当接部材ねじ孔の延伸方向は前記調整部材孔の延伸方向と同じであり、前記バランススリーブは、周面の対向する両側にそれぞれ当接面が設けられ、前記バランスユニットは当接部材を含み、当該当接部材は２つの端部を有するとともに、周面に当該当接部材ねじ孔に対応するねじ山が設けられ、当該当接部材の一端が平直な当接部を形成しており、当該当接部材は当該当接部材ねじ孔に螺合され、当該当接部材の当接部は当該バランススリーブの一方の当接面に当接することを特徴とする請求項４記載のボーリングヘッドのダイナミックバランス調整構造。
【請求項６】
前記本体は周面に波形の脱水溝が凹設されていることを特徴とする請求項５記載のボーリングヘッドのダイナミックバランス調整構造。
【請求項７】
前記バランススリーブ孔は２つの端部を備え、当該バランススリーブ孔の両端にはそれぞれ螺合部が設けられ、２つの当該螺合部は内周面にねじ山が設けられており、前記バランスユニットは第１エンドキャップ及び第２エンドキャップを含み、当該第１エンドキャップと当該第２エンドキャップは、周面に２つの当該螺合部に対応するねじ山が設けられており、当該第１エンドキャップと当該第２エンドキャップはそれぞれ２つの当該螺合部に螺合することを特徴とする請求項１〜６のいずれか１項記載のボーリングヘッドのダイナミックバランス調整構造。
【請求項８】
前記第１エンドキャップは、平面に環状の凸部が軸設されていることを特徴とする請求項７記載のボーリングヘッドのダイナミックバランス調整構造。
【考案の詳細な説明】
【技術分野】
【０００１】
本考案は、ボーリングに用いられる補助装置に関し、特に、ダイナミックバランスを調整可能なボーリングヘッドのダイナミックバランス調整構造に関する。
【背景技術】
【０００２】
ボーリングシステムは工作機械に装着され、開孔を加工成形するためのカッターである。図８に示す従来のボーリングヘッドは、カッターホルダ本体７０、スライド台８０及び調整ボルト９０を含む。当該カッターホルダ本体７０にはスライド台孔７１が貫設されており、当該スライド台８０がスライド台孔７１に挿設されている。スライド台８０は一端にブレード装着部８１が設けられるとともに、調整ボルト孔８２が貫設されている。調整ボルト９０はスライド台８０の調整ボルト孔８２に螺合しており、使用者が調整ボルト９０を回転させることで、スライド台８０を調整ボルト９０に沿ってスライド台孔７１で並進運動させられる。
スライド台８０の位置を調整することで、工作機械の回転加工において異なる孔径の円孔を形成可能となる。この種のボーリングヘッドはスライド台８０を調整することで孔径サイズを制御できるが、これに対応したダイナミックバランスの調整構造については設けられていない。そのため、工作機械がボーリングヘッドを高速回転させると、スライド台８０が位置ずれしてボーリングヘッドの重心が変化し、主軸に振動が生じてしまう結果、加工精度の低下のみならず、ブレードの消耗率が増大してしまう。以上より、従来のボーリングヘッドには、設計上、改善の余地のあることが明らかである。
【考案の概要】
【考案が解決しようとする課題】
【０００３】
従来のボーリングヘッドではスライド台の移動に対応してダイナミックバランスを調整できないことから、加工精度の低下やブレード消耗率の増大等が招来されるとの課題を解決するために、本考案は、互いに係合するバランススリーブと調整部材を備え、使用者が調整部材を回動させてバランススリーブを動作させることで、ブレード位置に合わせてダイナミックバランスを調整可能なボーリングヘッドのダイナミックバランス調整構造を提供する。
【課題を解決するための手段】
【０００４】
本考案が技術的課題を解決すべく提供するボーリングヘッドのダイナミックバランス調整構造は、バランススリーブ孔と調整部材孔が設けられた本体であって、当該バランススリーブ孔が当該本体を貫通し、当該調整部材孔が当該本体の周面から当該バランススリーブ孔を貫通して当該本体の内部まで延伸している本体、当該本体に結合されて、当該バランススリーブ孔の貫設方向に調整移動が可能なブレード、及び、当該本体に結合されて、バランススリーブ及び調整部材を含むバランスユニットであって、当該バランススリーブが当該バランススリーブ孔に挿設されるとともに第１係合部を備え、当該調整部材が当該調整部材孔に挿設されるとともに第２係合部を備え、当該第１係合部と当該第２係合部が互いに係合するバランスユニット、を含む。
【０００５】
前記ボーリングヘッドのダイナミックバランス調整構造は、前記バランススリーブの第１係合部には複数の凹凸状の鋸歯が設けられ、前記調整部材の第２係合部は、当該第１係合部に対応して周面に複数の凹凸状の鋸歯が設けられている。
【０００６】
前記ボーリングヘッドのダイナミックバランス調整構造は、前記バランススリーブは前記バランススリーブ孔に対応して設けられるとともに略半円柱状とされ、当該バランススリーブは２つの端部を備え、うち一端が短円柱状の規制部を形成している。
【０００７】
前記ボーリングヘッドのダイナミックバランス調整構造は、前記本体には位置決め部材ねじ孔が設けられ、当該位置決め部材ねじ孔は、当該本体の周面から当該調整部材孔まで延伸するとともに、内周面にねじ山が設けられており、当該位置決め部材ねじ孔の延伸方向は前記バランススリーブ孔の貫設方向と同じであり、前記バランスユニットは位置決め部材を含み、当該位置決め部材は２つの端部を備えるとともに、周面に位置決め部材ねじ孔に対応するねじ山を有し、当該位置決め部材の一方の端面に位置決めスタッドが軸設されており、前記調整部材には、当該位置決めスタッドに対応して環状の位置決め溝が凹設されており、当該位置決め部材は当該位置決め部材ねじ孔に螺合され、当該位置決めスタッドは当該位置決め溝に係合される。
【０００８】
前記ボーリングヘッドのダイナミックバランス調整構造は、前記本体には当接部材ねじ孔が設けられ、当該当接部材ねじ孔は、当該本体の周面から前記バランススリーブ孔まで延伸するとともに、内周面にねじ山が設けられており、当該当接部材ねじ孔の延伸方向は前記調整部材孔の延伸方向と同じであり、前記バランススリーブは、周面の対向する両側にそれぞれ当接面が設けられ、前記バランスユニットは当接部材を含み、当該当接部材は２つの端部を有するとともに、周面に当該当接部材ねじ孔に対応するねじ山が設けられ、当該当接部材の一端が平直な当接部を形成しており、当該当接部材は当該当接部材ねじ孔に螺合され、当該当接部材の当接部は当該バランススリーブの一方の当接面に当接する。
【０００９】
前記ボーリングヘッドのダイナミックバランス調整構造は、前記バランススリーブ孔は２つの端部を備え、当該バランススリーブ孔の両端にはそれぞれ螺合部が設けられ、２つの当該螺合部は内周面にねじ山が設けられており、前記バランスユニットは第１エンドキャップ及び第２エンドキャップを含み、当該第１エンドキャップと当該第２エンドキャップは、周面に２つの当該螺合部に対応するねじ山が設けられており、当該第１エンドキャップと当該第２エンドキャップはそれぞれ２つの当該螺合部に螺合する。
【００１０】
前記ボーリングヘッドのダイナミックバランス調整構造は、前記本体は周面に波形の脱水溝が凹設されている。
【００１１】
前記ボーリングヘッドのダイナミックバランス調整構造は、前記第１エンドキャップは、平面に環状の凸部が軸設されている。
【００１２】
本考案の技術手段は、以下の効果において優れている。
１．本考案におけるボーリングヘッドのダイナミックバランス調整構造には、バランススリーブと調整部材が設けられ、バランススリーブと調整部材には互いに対応して係合される第１係合部と第２係合部がそれぞれ設けられている。よって、使用者は、調整部材を回動させてバランススリーブをスライド移動させることで、ボーリングヘッドの重心を変化させ、ブレードの位置に応じてダイナミックバランスを調整可能である。このため、ボーリングヘッドの残アンバランス量を確実に許容値内とでき、加工精度の向上やブレード使用寿命の延長といった目的が達せられる。
２．本考案において本体の周面に設けられた波形の脱水溝は、孔加工過程で孔内に蓄積された切削液を排出可能であるとともに、加工過程で生じる振動の伝達抑制にも効果的である。
【図面の簡単な説明】
【００１３】
【図１】本考案の好ましい実施例の外観斜視図である。
【図２】本考案の好ましい実施例の外観斜視図である。
【図３】本考案の好ましい実施例における部材の分解図である。
【図４】本考案の好ましい実施例の部分断面図である。
【図５】本考案の好ましい実施例の横断面図である。
【図６】本考案の好ましい実施例の横断面図である。
【図７】本考案の好ましい実施例の動作を示す図である。
【図８】従来のボーリングヘッドの断面図である。
【考案を実施するための形態】
【００１４】
本考案の技術的特徴及び実用的効果を詳細に把握し、考案の内容に基づき実現可能となるよう、図示するような好ましい実施例を用いて以下に詳述する。
【００１５】
図１、図２及び図３に示すように、本考案におけるボーリングヘッドのダイナミックバランス調整構造は、本体１０、ブレード２０及びバランスユニット３０を含み、当該ブレード２０及び当該バランスユニット３０が当該本体１０に結合されている。
【００１６】
図１、図２及び図３に示すように、当該本体１０は周面を備える。当該本体１０は、バランススリーブ孔１１、調整部材孔１２、位置決め部材ねじ孔１３、当接部材ねじ孔１４及び脱水溝１５を含む。
当該バランススリーブ孔１１は、当該本体１０を貫通するとともに２つの端部を有し、当該バランススリーブ孔１１の両端にそれぞれ螺合部１１１が設けられ、２つの当該螺合部１１１の内周面に螺合用のねじ山が設けられている。当該調整部材孔１２は、当該本体１０の周面から当該バランススリーブ孔１１を貫通して、当該本体１０の内部まで延伸している。当該位置決め部材ねじ孔１３は、当該本体１０の周面から当該調整部材孔１２まで延伸するとともに、内周面に螺合用のねじ山が設けられている。当該位置決め部材ねじ孔１３の延伸方向は、当該バランススリーブ孔１１の貫設方向と同じである。当該当接部材ねじ孔１４は、当該本体１０の周面から当該バランススリーブ孔１１まで延伸するとともに、内周面に螺合用のねじ山が設けられている。当該当接部材ねじ孔１４の延伸方向は、当該調整部材孔１２の延伸方向と同じである。当該脱水溝１５は、当該本体１０の周面に凹設された波形の溝である。
【００１７】
図１及び図２に示すように、当該ブレード２０は当該本体１０に結合されて、当該バランススリーブ孔１１の貫設方向に調整移動が可能である。
【００１８】
図３、図４及び図５に示すように、当該バランスユニット３０は、バランススリーブ３１、調整部材３２、位置決め部材３３、当接部材３４、第１エンドキャップ３５、第２エンドキャップ３６及び位置決め部材封止キャップ３７を含む。
当該バランススリーブ３１は、当該バランススリーブ孔１１に対応して設けられるとともに、略半円柱状とされる。当該バランススリーブ３１は２つの端部を備え、うち一端が短円柱状の規制部３１１を形成している。当該規制部３１１の端面には、円形の凹孔が２つ設けられている。当該バランススリーブ３１の平直な面には第１係合部３１２が設けられており、当該第１係合部３１２には複数の凹凸状の鋸歯が設けられている。当該バランススリーブ３１は、周面の対向する両側に２つの当接面３１３が設けられており、２つの当該当接面３１３は当該第１係合部３１２に対し立設されている。当該調整部材３２は略円柱状であるとともに、２つの端部を有している。当該調整部材３２には、当接部３２１、位置決め溝３２２及び第２係合部３２３が設けられている。当該当接部３２１は当該調整部材３２の一端に設けられ、端面に六角形の凹溝３２１１が設けられている。当該位置決め溝３２２は当該調整部材３２における当該当接部３２１寄りの位置に環状に凹設されている。当該第２係合部３２３は、当該位置決め溝３２２と当該調整部材３２の他端の間に設けられており、当該バランススリーブ３１の第１係合部３１２に対応して、周面に複数の凹凸状の鋸歯が設けられている。
当該位置決め部材３３は略短円柱状であるとともに、２つの端部を有している。当該位置決め部材３３は周面に雄ねじが設けられており、当該位置決め部材３３の雄ねじは当該位置決め部材ねじ孔１３のねじ山に対応して設けられている。当該位置決め部材３３の一方の端面には位置決めスタッド３３１が軸設されている。当該位置決めスタッド３３１は、当該調整部材３２の位置決め溝３２２に対応して設けられた円柱である。
【００１９】
図３、図４及び図５に示すように、当該当接部材３４は円柱状であるとともに、２つの端部を有している。当該当接部材３４は、周面に当該当接部材ねじ孔１４に対応するねじ山が設けられている。当該当接部材３４の一端は、平直な当接部３４１を形成している。
当該第１エンドキャップ３５は円盤状であり、周面に当該バランススリーブ孔１１の螺合部１１１に対応するねじ山が設けられている。当該第１エンドキャップ３５は２つの平面を備え、一方の平面に円形の２つの凹孔が設けられている。当該第１エンドキャップ３５の他方の平面には、環状の凸部３５１が軸設されている。
同様に、当該第２エンドキャップ３６は円盤状であり、周面に当該バランススリーブ孔１１の螺合部１１１に対応するねじ山が設けられている。当該第２エンドキャップ３６は２つの平面を備え、一方の平面に円形の２つの凹孔が設けられている。当該位置決め部材封止キャップ３７は、当該位置決め部材ねじ孔１３に対応して設けられた円形のプレートである。
【００２０】
図３及び図４に示すように、本考案におけるボーリングヘッドのダイナミックバランス調整構造を組み立てる場合には、まず当該バランスユニット３０の調整部材３２を当該本体１０の調整部材孔１２に挿設する。次に、当該位置決め部材３３を当該位置決め部材ねじ孔１３に螺合して、当該位置決め部材３３の位置決めスタッド３３１を当該調整部材３２の位置決め溝３２２に係合させてから、当該位置決め部材封止キャップ３７で当該位置決め部材ねじ孔１３を封止する。続いて、当該バランススリーブ３１を当該バランススリーブ孔１１に挿設して、当該バランススリーブ３１の第１係合部３１２を当該調整部材３２の第２係合部３２３に係合させ、当該第１エンドキャップ３５と当該第２エンドキャップ３６をそれぞれ当該バランススリーブ孔１１の２つの当該螺合部１１１に螺合させる。最後に、当該当接部材３４を当該当接部材ねじ孔１４に螺合させて、当該当接部材３４に設けられた当接部３４１を当該バランススリーブ３１の一方の当接面３１３に当接させると、本考案の組み立てが完了する。
【００２１】
図５、図６及び図７に示すように、使用者が異なる孔径の円孔を加工成形しようとする場合、当該ブレード２０の位置が調整されて、当該ブレード２０が当該本体１０に対して位置ずれを生じることから、ボーリングヘッドの重心位置が変化する。このとき、使用者は、六角レンチを当該調整部材３２の当接部３２１に設けられた凹溝３２１１に当接させて回転させるだけで、当該調整部材３２を回動されられる。そして、当該調整部材３２に設けられた第２係合部３２３が当該バランススリーブ３１の第１係合部３１２を動作させることで、当該バランススリーブ３１を、当該ブレード２０の変位に応じて当該バランススリーブ孔１１内でスライド調整させられる。
当該位置決め部材３３の位置決めスタッド３３１が当該調整部材３２の位置決め溝３２２に係合されていることから、調整時に当該調整部材３２が抜け落ちる恐れはない。また、当該当接部材３４に設けられた当接部３４１が当該バランススリーブ３１の一方の当接面３１３に当接するため、使用者は当該当接部材３４を回動させることで当該バランススリーブ３１を圧着可能である。
そして、当該バランススリーブ孔１１の２つの当該螺合部１１１にそれぞれ螺合された当該第１エンドキャップ３５と当該第２エンドキャップ３６によって、当該バランススリーブ孔１１からの当該バランススリーブ３１の抜け落ちが回避されるだけでなく、加工中に切削液が当該バランススリーブ孔１１に流れ込むことも防止される。
【００２２】
従来のボーリングヘッドと比較して、本考案におけるボーリングヘッドのダイナミックバランス調整構造には、互いに対応して係合する当該バランススリーブ３１と当該調整部材３２が設けられるため、使用者は六角レンチを操作して当該調整部材３２を回動させることで、当該バランススリーブ３１を簡単に動作させられる。よって、簡易な構造で操作が容易となるほか、ボーリングヘッドによって異なる孔径の円孔を加工する場合に、ボーリングヘッドの残アンバランス量を確実に許容値内とできるため、加工精度の向上及びブレード使用寿命の延長との目的が達せられる。
【符号の説明】
【００２３】
１０      本体
１１      バランススリーブ孔
１１１    螺合部
１２      調整部材孔
１３      位置決め部材ねじ孔
１４      当接部材ねじ孔
１５      脱水溝
２０      ブレード
３０      バランスユニット
３１      バランススリーブ
３１１    規制部
３１２    第１係合部
３１３    当接面
３２      調整部材
３２１    当接部
３２１１  凹溝
３２２    位置決め溝
３２３    第２係合部
３３      位置決め部材
３３１    位置決めスタッド
３４      当接部材
３４１    当接部
３５      第１エンドキャップ
３５１    凸部
３６      第２エンドキャップ
３７      位置決め部材封止キャップ
７０      カッターホルダ本体
７１      スライド台孔
８０      スライド台
８１      ブレード装着部
８２      調整ボルト孔
９０      調整ボルト
【図１】
0003201216.tif 000003
【図２】
0003201216.tif 000004
【図３】
0003201216.tif 000005
【図４】
0003201216.tif 000006
【図５】
0003201216.tif 000007
【図６】
0003201216.tif 000008
【図７】
0003201216.tif 000009
【図８】
0003201216.tif 000010